(57)【要約】【課題】従来、融資またはリースの申し出に対する処理が煩雑であった。【解決手段】企業を識別する企業識別子を有する１以上の企業情報が格納される企業情報格納部と、融資またはリースの申し出に関する情報であり、企業識別子を有する申出情報を端末装置から受信する申出情報受信部と、申出情報受信部が申出情報を受信した場合に、保証の依頼に関する情報であり、申出情報が有する企業識別子を含む保証依頼情報を構成する保証依頼情報構成部と、サーバ装置に保証依頼情報を送信する保証依頼情報送信部とを具備する情報処理装置により、融資またはリースの申し出に対する処理を効率化できる。【選択図】図３
2019144979.tif 000002
【特許請求の範囲】
【請求項１】
企業を識別する企業識別子を有する１以上の企業情報が格納される企業情報格納部と、
融資またはリースの申し出に関する情報であり、企業識別子を有する申出情報を端末装置から受信する申出情報受信部と、
前記申出情報受信部が申出情報を受信した場合に、保証の依頼に関する情報であり、前記申出情報が有する企業識別子を含む保証依頼情報を構成する保証依頼情報構成部と、
保証会社のサーバ装置に前記保証依頼情報を送信する保証依頼情報送信部とを具備する情報処理装置。
【請求項２】
前記企業情報は、企業の格付けを示す格付情報を有し、
２以上の各格付情報に対応付けて、保証依頼情報の送信先を特定する送信先特定情報が格納される送信先特定情報格納部と、
前記申出情報が有する企業識別子と対になる格付情報を前記企業情報格納部から取得し、当該格付情報に対応付いている送信先特定情報を取得する送信制御部とをさらに具備し、
前記保証依頼情報送信部は、
前記送信制御部が取得した送信先特定情報により特定される送信先に、前記保証依頼情報を送信する請求項１記載の情報処理装置。
【請求項３】
前記申出情報が有する企業識別子に対応する情報であり、企業情報が有する情報を前記企業情報格納部から取得し、当該情報に基づいて、保証依頼情報をサーバ装置に送信するか否かを決定する送信制御部とをさらに具備し、
前記保証依頼情報送信部は、
前記送信制御部が保証依頼情報をサーバ装置に送信すると決定した場合に、前記保証依頼情報を送信する請求項１記載の情報処理装置。
【請求項４】
前記サーバ装置から保証審査の結果に関する保証結果情報を示す受信する保証結果情報受信部と、
前記保証結果情報に応じて異なる処理を行う保証結果対応処理部とをさらに具備する請求項１から請求項３いずれか一項に記載の情報処理装置。
【請求項５】
前記保証結果対応処理部は、
前記保証結果情報に対応する審査結果を示す審査結果情報を構成する審査結果情報構成手段と、
前記申出情報を送信してきた端末装置に前記審査結果情報を送信する審査結果情報送信手段とを具備する請求項４記載の情報処理装置。
【請求項６】
企業を識別する企業識別子を有する１以上の企業情報が格納される企業情報格納部と、申出情報受信部と、保証依頼情報構成部と、保証依頼情報送信部とにより実現される情報処理方法であって、
前記申出情報受信部が、融資またはリースの申し出に関する情報であり、企業識別子を有する申出情報を端末装置から受信する申出情報受信ステップと、
前記保証依頼情報構成部が、前記申出情報受信ステップで申出情報が受信された場合に、保証の依頼に関する情報であり、前記申出情報が有する企業識別子を含む保証依頼情報を構成する保証依頼情報構成ステップと、
前記保証依頼情報送信部が、サーバ装置に前記保証依頼情報を送信する保証依頼情報送信ステップとを具備する情報処理方法。
【請求項７】
企業を識別する企業識別子を有する１以上の企業情報が格納される企業情報格納部を具備する記録媒体にアクセス可能なコンピュータを、
融資またはリースの申し出に関する情報であり、企業識別子を有する申出情報を端末装置から受信する申出情報受信部と、
前記申出情報受信部が申出情報を受信した場合に、保証の依頼に関する情報であり、前記申出情報が有する企業識別子を含む保証依頼情報を構成する保証依頼情報構成部と、
サーバ装置に前記保証依頼情報を送信する保証依頼情報送信部として機能させるためのプログラム。
【発明の詳細な説明】
【技術分野】
【０００１】
本発明は、融資またはリースの申し出に対する処理を行う情報処理装置等に関するものである。
【背景技術】
【０００２】
従来、銀行の支店等に設置されたＡＴＭを利用したローン設定システムに関し、特に予めリスク評価に基づく設定を行い、ＡＴＭを使用して迅速に自動貸越サービス（ローン）設定を行うことができるも技術があった（例えば、特許文献１参照）。
【先行技術文献】
【特許文献】
【０００３】
【特許文献１】特開２０１１−１６５００１号公報
【発明の概要】
【発明が解決しようとする課題】
【０００４】
しかしながら、従来技術においては、融資またはリースの申し出に対する煩雑な処理を改善することができなかった。さらに具体的には、従来技術においては、保証会社等のサーバ装置と連携して、融資またはリースの申し出に対応する処理を支援できず、融資またはリース等の申し出に対する効率化な処理を行うことができなかった。
【課題を解決するための手段】
【０００５】
本第一の発明の情報処理装置は、企業を識別する企業識別子を有する１以上の企業情報が格納される企業情報格納部と、融資またはリースの申し出に関する情報であり、企業識別子を有する申出情報を端末装置から受信する申出情報受信部と、申出情報受信部が申出情報を受信した場合に、保証の依頼に関する情報であり、申出情報が有する企業識別子を含む保証依頼情報を構成する保証依頼情報構成部と、保証会社のサーバ装置に保証依頼情報を送信する保証依頼情報送信部とを具備する情報処理装置である。
【０００６】
かかる構成により、融資またはリース等の申し出に対する処理を効率化できる。
【０００７】
また、本第二の発明の情報処理装置は、第一の発明に対して、企業情報は、企業の格付けを示す格付情報を有し、２以上の各格付情報に対応付けて、保証依頼情報の送信先を特定する送信先特定情報が格納される送信先特定情報格納部と、申出情報が有する企業識別子と対になる格付情報を企業情報格納部から取得し、格付情報に対応付いている送信先特定情報を取得する送信制御部とをさらに具備し、保証依頼情報送信部は、送信制御部が取得した送信先特定情報により特定される送信先に、保証依頼情報を送信する情報処理装置である。
【０００８】
かかる構成により、融資またはリース等の申し出に対して、企業の格付けに応じた適切な送信制御が行える。
【０００９】
また、本第三の発明の情報処理装置は、第一の発明に対して、申出情報が有する企業識別子に対応する情報であり、企業情報が有する情報を企業情報格納部から取得し、情報に基づいて、保証依頼情報をサーバ装置に送信するか否かを決定する送信制御部とをさらに具備し、保証依頼情報送信部は、送信制御部が保証依頼情報をサーバ装置に送信すると決定した場合に、保証依頼情報を送信する情報処理装置である。
【００１０】
かかる構成により、融資またはリース等の申し出に対して、適切な送信制御が行える。
【００１１】
また、本第四の発明の情報処理装置は、第一から第三いずれか１つの発明に対して、サーバ装置から保証審査の結果に関する保証結果情報を示す受信する保証結果情報受信部と、保証結果情報に応じて異なる処理を行う保証結果対応処理部とをさらに具備する情報処理装置である。
【００１２】
かかる構成により、融資またはリースの申し出に対する処理をさらに効率化できる。
【００１３】
また、本第五の発明の情報処理装置は、第四の発明に対して、保証結果対応処理部は、保証結果情報に対応する審査結果を示す審査結果情報を構成する審査結果情報構成手段と、申出情報を送信してきた端末装置に審査結果情報を送信する審査結果情報送信手段とを具備する情報処理装置である。
【００１４】
かかる構成により、融資またはリース等の申し出に対する処理をさらに効率化できる。
【発明の効果】
【００１５】
本発明による情報処理装置によれば、融資またはリース等の申し出に対する処理を効率化できる。
【図面の簡単な説明】
【００１６】
【図１】実施の形態１における情報システムＡの概念図
【図２】同情報システムＡのブロック図
【図３】同情報処理装置１のブロック図
【図４】同情報処理装置１の動作例について説明するフローチャート
【図５】同送信制御処理の例について説明するフローチャート
【図６】同保証結果対応処理の例について説明するフローチャート
【図７】同端末装置２の動作例について説明するフローチャート
【図８】同サーバ装置３の動作例について説明するフローチャート
【図９】同企業情報管理表を示す図
【図１０】同送信先特定情報管理表を示す図
【図１１】同送信情報管理表を示す図
【図１２】同送信条件管理表を示す図
【図１３】同出力例を示す図
【図１４】同コンピュータシステムの概観図
【図１５】同コンピュータシステムのブロック図
【発明を実施するための形態】
【００１７】
以下、情報処理装置等の実施形態について図面を参照して説明する。なお、実施の形態において同じ符号を付した構成要素は同様の動作を行うので、再度の説明を省略する場合がある。
【００１８】
（実施の形態１）
本実施の形態において、端末装置から融資またはリース等の申し出を受け付け、サーバ装置に保証依頼情報を送信する情報処理装置を含む情報システムについて説明する。融資またはリース等の申し出は、通常、保証が必要な対象の申し出である。融資またはリース等とは、融資、リースの他、保証が必要な他の対象を含むと考えても良い。
【００１９】
また、本実施の形態において、企業の格付けに応じて、保証依頼情報の送信先が異なる情報処理装置を含む情報システムについて説明する。
【００２０】
また、本実施の形態において、企業の情報等に基づいて、保証依頼情報を送信したり、送信しなかったりする情報処理装置を含む情報システムについて説明する。
【００２１】
さらに、実施の形態において、サーバ装置から保証結果情報を受信し、保証結果情報に応じて、異なる処理を行う情報処理装置を含む情報システムについて説明する。なお、異なる処理とは、処理の種類が異なること、処理を行ったり行わなかったりすること、処理対象の情報が異なることのいずれかである。処理の種類が異なることは、例えば、情報を送信することと情報を蓄積することである。処理を行ったり行わなかったりすることとは、例えば、情報を送信したり、送信しなかったりすることである。処理対象の情報が異なることとは、例えば、送信する情報が異なることである。
【００２２】
図１は、本実施の形態における情報システムＡの概念図である。情報システムＡは、情報処理装置１、１または２以上の端末装置２、および１または２以上のサーバ装置３を備える。情報処理装置１は、例えば、銀行の装置である。情報処理装置１は、例えば、クラウドサーバやＡＳＰサーバであるが、そのタイプや設置場所は問わない。また、端末装置２は、例えば、企業の担当者が使用する装置である。端末装置２は、例えば、スマートフォンやタブレット端末や携帯電話等の携帯端末、いわゆるパソコン等であり、そのタイプは問わない。サーバ装置３は、後述する保証依頼情報を受信する装置である。サーバ装置３は、例えば、保証会社の装置である。サーバ装置３は、例えば、クラウドサーバやＡＳＰサーバであるが、そのタイプや設置場所は問わない。
【００２３】
図２は、本実施の形態における情報システムＡのブロック図である。図３は、情報処理装置１のブロック図である。
【００２４】
情報処理装置１は、格納部１１、受信部１２、送信部１３、および処理部１４を備える。格納部１１は、企業情報格納部１１１、および送信先特定情報格納部１１２を備える。受信部１２は、申出情報受信部１２１、および保証結果情報受信部１２２を備える。送信部１３は、保証依頼情報送信部１３１を備える。処理部１４は、保証依頼情報構成部１４１、送信制御部１４２、および保証結果対応処理部１４３を備える。保証結果対応処理部１４３は、審査結果情報構成手段１４３１、および審査結果情報送信手段１４３２を備える。
【００２５】
端末装置２は、端末格納部２１、端末受付部２２、端末処理部２３、端末送信部２４、端末受信部２５、および端末出力部２６を備える。
【００２６】
サーバ装置３は、サーバ格納部３１、サーバ受付部３２、サーバ受信部３３、サーバ処理部３４、サーバ出力部３５、およびサーバ送信部３６を備える。
【００２７】
情報処理装置１を構成する格納部１１には、各種の情報が格納される。各種の情報は、例えば、後述する企業情報、後述する送信先特定情報、保証結果情報に対応する情報、送信条件情報等である。
【００２８】
保証結果情報に対応する情報は、例えば、保証結果情報が「保証審査が通過したことを示す情報」である場合、保証結果情報に対応する情報は、例えば、融資のために企業が記載すべき書類に対応する情報である。また、例えば、保証結果情報が「保証審査が通過しなかったことを示す情報」である場合、保証結果情報に対応する情報は、例えば、融資できないことの決定通知が記載された情報である。かかる情報は、例えば、ファイル、文字列、文字列と画像等であり、そのタイプやデータ構造等は問わない。
【００２９】
送信条件情報は、サーバ装置３に保証依頼情報を送信するか否かを判断するための情報である。送信条件情報は、サーバ装置３に保証依頼情報を送信する場合を特定する情報、サーバ装置３に保証依頼情報を送信しない場合を特定する情報のいずれか以上の情報である。
【００３０】
企業情報格納部１１１は、１または２以上の企業情報が格納される。企業情報は、融資やリース等を受ける候補の企業に関する情報である。企業情報は、企業を識別する企業識別子を有する。ここで、企業とは、法人だけでなく、個人事業主等も含んでも良い。企業情報は、例えば、企業識別子、企業名、企業の代表者氏名、格付情報、資金繰情報などを有する。格付情報は、企業の格付けを示す情報である。格付情報は、例えば、「Ａ，Ｂ，Ｃ」のうちのいずれか、「○，△，×」のうちのいずれか、「１，２，３，４，５」のうちのいずれか、「適格，要注意，不適格」のうちのいずれか等である。資金繰情報は、資金繰りに関する情報である。資金繰情報は、例えば、預貯金を示す情報、負債を示す情報、資産を示す情報等である。企業情報は、例えば、企業の銀行口座を識別する１または２以上の口座識別子を含む。企業情報は、例えば、企業の属性値である１以上の企業属性値を有することは好適である。企業属性値は、例えば、従業員数、設立年、設立年月日、資本金の金額、上場の有無、業態を識別する業態識別子、企業の種類を示す企業種類識別子等である。
【００３１】
送信先特定情報格納部１１２は、２以上の送信先特定情報が格納される。送信先特定情報は、格付情報に対応付けられている。送信先特定情報とは、保証依頼情報の送信先を特定する情報である。送信先特定情報は、例えば、サーバ装置３を特定する情報、保証会社の部門を特定する情報等である。送信先特定情報は、例えば、例えば、メールアドレス、ＵＲＬ、ＩＰアドレス等である。
【００３２】
受信部１２は、各種の情報や指示等を受信する。各種の情報や指示等とは、例えば、後述する申出情報、後述する保証結果情報である。
【００３３】
申出情報受信部１２１は、申出情報を端末装置２から受信する。申出情報とは、融資またはリース等の申し出に関する情報である。なお、融資またはリース等を単に「融資またはリース」と言っても良い。申出情報は、通常、企業識別子を有する。申出情報は、例えば、融資額を示す融資金額情報、融資の返済に関する条件を示す返済条件情報、リースの対象物を特定するリース物識別子、リースの条件を示すリース条件情報などを有する。返済条件情報は、例えば、「３０万円／月，５０回払い」、「１０万円／月,３年間」等である。リース条件情報は、例えば、「１万円／月，３０ヶ月」、「１０万円／年，３年間」等である。
【００３４】
保証結果情報受信部１２２は、サーバ装置３から保証結果情報を示す受信する。保証結果情報とは、保証審査の結果に関する情報である。保証結果情報は、例えば、審査通過（ＯＫ）を示す情報（例えば、「１」）、審査不通過（ＮＧ）を示す情報（例えば、「０」）である。
【００３５】
送信部１３は、各種の情報を送信する。各種の情報とは、例えば、後述する保証依頼情報である。
【００３６】
保証依頼情報送信部１３１は、サーバ装置３に保証依頼情報を送信する。保証依頼情報は、保証の依頼に関する情報である。保証依頼情報は、保証審査の依頼に関する情報である、と言っても良い。保証依頼情報は、通常、企業識別子を含む。保証依頼情報は、例えば、保証審査のために必要な情報を含む。保証審査のために必要な情報は、例えば、上述した企業情報が有する情報の少なくとも一部であり、例えば、格付情報、資金繰情報である。保証依頼情報は、例えば、申出情報が有する情報を有する。申出情報が有する情報は、例えば、融資金額情報、返済条件情報などである。
【００３７】
保証依頼情報送信部１３１は、送信制御部１４２が取得した送信先特定情報により特定される送信先に、保証依頼情報を送信することは好適である。つまり、例えば、企業の格付けにより、異なる送信先に保証依頼情報が送信されることは好適である。ただし、保証依頼情報送信部１３１は、企業の格付けによらず、予め決められた一の送信先特定情報により特定される送信先に、保証依頼情報を送信しても良い。
【００３８】
保証依頼情報送信部１３１は、送信制御部１４２が保証依頼情報をサーバ装置３に送信すると決定した場合に、保証依頼情報をサーバ装置３に送信しても良い。つまり、保証依頼情報送信部１３１は、申出情報が受信された場合でも、保証依頼情報を送信しない場合があっても良い。
【００３９】
処理部１４は、各種の処理を行う。各種の処理とは、例えば、保証依頼情報構成部１４１、送信制御部１４２、保証結果対応処理部１４３が行う処理である。
【００４０】
保証依頼情報構成部１４１は、申出情報受信部１２１が申出情報を受信した場合に、当該申出情報が有する企業識別子を含む保証依頼情報を構成する。保証依頼情報構成部１４１は、例えば、受信された申出情報が有する企業識別子と対になる情報（例えば、格付情報、資金繰情報のうちの１以上の情報）を企業情報格納部１１１から取得し、当該取得した情報と、受信された申出情報が有する企業識別子と、受信された申出情報が有する融資金額情報と返済条件情報のうちの１以上の情報とを用いて、保証依頼情報を構成する。なお、保証依頼情報は、企業識別子のみでも良い。かかる場合、サーバ装置３が、企業識別子をキーとして、企業情報や、申出情報が有する融資金額情報と返済条件情報等を取得できることは好適である。
【００４１】
送信制御部１４２は、例えば、申出情報が有する企業識別子と対になる格付情報を企業情報格納部１１１から取得し、格付情報に対応付いている送信先特定情報を送信先特定情報格納部１１２から取得する。
【００４２】
送信制御部１４２は、例えば、サーバ装置３に保証依頼情報を送信するか否かを判断しても良い。送信制御部１４２は、例えば、サーバ装置３に保証依頼情報を送信するか否かを決定するために使用される情報である１以上の判断情報を取得する。そして、送信制御部１４２は、例えば、１以上の判断情報が予め決められた条件（送信条件と言っても良い）を満たすか否かを判断する。送信制御部１４２は、例えば、送信条件を満たす場合には保証依頼情報を送信すると決定し、送信条件を満たさない場合には保証依頼情報を送信しないと決定する。なお、送信制御部１４２は、例えば、送信条件を満たす場合には保証依頼情報を送信しないと決定し、送信条件を満たさない場合には保証依頼情報を送信すると決定しても良い。
【００４３】
判断情報は、例えば、企業識別子と対になる情報であり、企業情報を構成する情報である。企業情報を構成する情報は、例えば、資産情報、格付情報、資金繰情報のうちの１以上の情報を含む。また、判断情報は、例えば、申出情報が有する融資額情報、返済条件情報のうちの１以上の情報を含む。
【００４４】
送信制御部１４２は、例えば、受信された申出情報が有する企業識別子に対応する情報であり、企業情報が有する情報を企業情報格納部１１１から取得し、当該情報に基づいて、保証依頼情報をサーバ装置３に送信するか否かを決定しても良い。
【００４５】
送信制御部１４２は、例えば、受信された申出情報が有する企業識別子に対応する資産情報（例えば、銀行口座の預金額を示す預貯金情報）を企業情報格納部１１１から取得し、当該資産情報が示す金額が、申出情報が有する融資額情報が示す金額以上であるか否かを判断し、資産情報が示す金額が融資額情報が示す金額以上である場合には、サーバ装置３に保証依頼情報を送信しない、と判断しても良い。例えば、かかる場合、保証なしで、融資が決定されることとなる。一方、例えば、資産情報が示す金額が融資額情報が示す金額より少ない場合には、送信制御部１４２は、サーバ装置３に保証依頼情報を送信する、と判断しても良い。
【００４６】
保証結果対応処理部１４３は、保証結果情報に応じて異なる処理を行う。保証結果対応処理部１４３は、例えば、保証結果情報に応じて異なる情報を、格納部１１から取得し、当該情報を端末装置２に送信する。
【００４７】
保証結果情報が「保証審査が通過したことを示す情報」である場合、保証結果対応処理部１４３は、例えば、融資のために企業が記載すべき書類に対応するファイルを格納部１１から取得し、当該ファイルを申出情報を送信してきた端末装置２に送信する。一方、保証結果情報が「保証審査が通過しなかったことを示す情報」である場合、保証結果対応処理部１４３は、「保証審査が通過しなかったことを示す情報」を申出情報が有する企業識別子に対応するウェブページに書き込む処理を行う。
【００４８】
保証結果対応処理部１４３を構成する審査結果情報構成手段１４３１は、保証結果情報に対応する審査結果を示す審査結果情報を構成する。なお、保証結果情報が「保証審査が通過したことを示す情報」である場合、例えば、審査結果情報は融資またはリースの申し出に対する審査を通過したことを示す情報である。また、保証結果情報が「保証審査が通過しなかったことを示す情報」である場合、例えば、審査結果情報は融資またはリースの申し出に対する審査を通過しなかったことを示す情報である。また、審査結果情報は保証結果情報と同じでも良い。
【００４９】
審査結果情報送信手段１４３２は、申出情報を送信してきた端末装置２に審査結果情報を送信する。なお、審査結果情報は、審査結果情報構成手段１４３１が構成した情報である。
【００５０】
端末装置２を構成する端末格納部２１には、各種の情報が格納される。各種の情報とは、例えば、ユーザの企業を識別する企業識別子である。各種の情報は、例えば、端末受信部２５が受信した情報である。なお、企業識別子は、ユーザを識別する情報と考えても良い。また、ユーザは、融資またはリースの申し出をする企業の者である。
【００５１】
端末受付部２２は、各種の指示や情報等を受け付ける。各種の指示や情報等とは、例えば、申出情報である。ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００５２】
各種の指示や情報等の入力手段は、タッチパネルやキーボードやマウスやメニュー画面によるもの等、何でも良い。
【００５３】
端末処理部２３は、各種の処理を行う。各種の処理とは、例えば、端末受信部２５が受信した情報を表示されるデータに構成するする処理である。各種の処理とは、例えば、端末受付部２２が受け付けた指示等を送信する指示等に構成する処理である。
【００５４】
端末送信部２４は、各種の指示や情報等を情報処理装置１に送信する。各種の指示や情報等とは、例えば、端末処理部２３が構成した申出情報、端末処理部２３が構成した指示、端末受付部２２が受け付けた指示や情報等である。
【００５５】
端末受信部２５は、各種の情報を情報処理装置１から受信する。各種の情報とは、例えば、審査結果情報である。
【００５６】
端末出力部２６は、各種の情報を出力する。各種の情報とは、例えば、端末受付部２２が受け付けた情報、端末受信部２５が受信した情報、端末処理部２３が構成した情報である。各種の情報とは、例えば、審査結果情報である。
【００５７】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００５８】
サーバ装置３を構成するサーバ格納部３１には、各種の情報が格納される。各種の情報は、例えば、サーバ装置３を識別するサーバ識別子である。各種の情報は、例えば、保証条件情報である。保証条件情報とは、保証するための条件を特定する情報である。保証条件情報は、例えば、企業情報が有する１以上の情報、保証依頼情報が有する１以上の情報のうちの１以上の情報に基づく条件である。保証条件情報は、例えば、「預貯金情報＞＝融資額情報」、「預貯金情報−融資額情報＜＝昨年度の売上高」等である。
【００５９】
サーバ受付部３２は、各種の指示や情報等を受け付ける。各種の指示や情報等とは、例えば、保証結果情報、企業情報取得指示である。保証結果情報は、例えば、保証会社の担当者が、保証対象の企業の企業情報、保証依頼情報が有する融資またはリースに関する情報を検査し、保証するか否かを判断した結果を示す情報である。企業情報取得指示は、企業識別子を有する指示であり、企業情報を取得することの指示である。
【００６０】
ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００６１】
サーバ受信部３３は、各種の情報を情報処理装置１から受信する。各種の情報とは、例えば、保証依頼情報、企業情報の一部または全部である。企業情報の一部または全部は、例えば、保証するか否かを判断するために使用される。
【００６２】
サーバ処理部３４は、各種の処理を行う。各種の処理は、例えば、サーバ受信部３３が受信した情報を表示されるデータに構成する処理である。各種の処理は、例えば、サーバ受付部３２が受け付けた指示等を送信する指示等に構成する処理である。
【００６３】
各種の処理は、例えば、保証判断処理である。保証判断処理は、保証をするか否かを判断する処理である。
【００６４】
サーバ処理部３４は、保証依頼情報の受信に応じて、サーバ格納部３１の保証条件情報を取得する。そして、サーバ処理部３４は、保証依頼情報が有する企業識別子に対応する情報であり、保証条件情報が示す条件が使用する１以上の情報（例えば、預貯金情報、融資額情報、昨年度の売上高等）を、保証依頼情報または情報処理装置１から取得する。次に、サーバ処理部３４は、取得した１以上の情報が保証条件情報が示す条件に合致するか否かを判断し、合致する場合は保証結果情報「審査通過」を取得し、合致しない場合は保証結果情報「審査不通過」を取得する。
【００６５】
サーバ出力部３５は、各種の情報を取得する。各種の情報とは、例えば、サーバ受付部３２が受け付けた情報、サーバ受信部３３が受信した情報、サーバ処理部３４が構成した情報である。各種の情報とは、例えば、保証依頼情報、企業情報等である。
【００６６】
サーバ送信部３６は、各種の指示や情報等を情報処理装置１に送信する。各種の指示や情報等とは、例えば、サーバ処理部３４が構成した指示、サーバ受付部３２が受け付けた指示や情報等である。各種の指示や情報等は、例えば、保証結果情報、企業情報取得指示である。なお、送信される保証結果情報は、サーバ受付部３２が受け付けた保証結果情報、サーバ受付部３２が受け付けた保証結果情報から構成された保証結果情報、またはサーバ処理部３４が保証判断処理により取得した保証結果情報のいずれかである。
【００６７】
格納部１１、企業情報格納部１１１、送信先特定情報格納部１１２、端末格納部２１、およびサーバ格納部３１は、不揮発性の記録媒体が好適であるが、揮発性の記録媒体でも実現可能である。
【００６８】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００６９】
受信部１２、申出情報受信部１２１、保証結果情報受信部１２２、端末受信部２５、およびサーバ受信部３３は、通常、無線または有線の通信手段で実現されるが、放送を受信する手段で実現されても良い。
【００７０】
送信部１３、保証依頼情報送信部１３１、審査結果情報送信手段１４３２、端末送信部２４、およびサーバ送信部３６は、通常、無線または有線の通信手段で実現されるが、放送手段で実現されても良い。
【００７１】
処理部１４、保証依頼情報構成部１４１、送信制御部１４２、保証結果対応処理部１４３、審査結果情報構成手段１４３１、端末処理部２３、およびサーバ処理部３４は、通常、ＭＰＵやメモリ等から実現され得る。処理部１４等の処理手順は、通常、ソフトウェアで実現され、当該ソフトウェアはＲＯＭ等の記録媒体に記録されている。但し、ハードウェア（専用回路）で実現しても良い。
【００７２】
端末受付部２２は、タッチパネルやキーボード等の入力手段のデバイスドライバーや、メニュー画面の制御ソフトウェア等で実現され得る。
【００７３】
端末出力部２６、およびサーバ出力部３５は、ディスプレイやスピーカー等の出力デバイスを含むと考えても含まないと考えても良い。端末出力部２６等は、出力デバイスのドライバーソフトまたは、出力デバイスのドライバーソフトと出力デバイス等で実現され得る。
【００７４】
次に、情報システムＡの動作例について説明する。まず、情報処理装置１の動作例について、図４のフローチャートを用いて説明する。
【００７５】
（ステップＳ４０１）申出情報受信部１２１は、端末装置２から申出情報を受信したか否かを判断する。申出情報を受信した場合はステップＳ４０２に行き、申出情報を受信しなかった場合はステップＳ４０８に行く。
【００７６】
（ステップＳ４０２）送信制御部１４２は、送信制御処理を行う。送信制御処理は、ここでは、保証依頼情報を送信するか否かの判断処理、および保証依頼情報の送信先の決定処理である。なお、送信制御処理の例について、図５のフローチャートを用いて説明する。
【００７７】
（ステップＳ４０３）保証依頼情報構成部１４１は、ステップＳ４０２における処理の結果、保証依頼情報を送信するとの判断である場合はステップＳ４０４に行き、保証依頼情報を送信しないとの判断である場合はステップＳ４０６に行く。
【００７８】
（ステップＳ４０４）保証依頼情報構成部１４１は、送信する保証依頼情報を構成する。
【００７９】
（ステップＳ４０５）保証依頼情報送信部１３１は、ステップＳ４０４で構成された保証依頼情報をサーバ装置３に送信する。ステップＳ４０１に戻る。なお、保証依頼情報送信部１３１は、ステップＳ４０２で取得された送信先特定情報により特定されるサーバ装置３に保証依頼情報を送信する。
【００８０】
（ステップＳ４０６）処理部１４は、審査結果情報等を取得する。処理部１４は、例えば、ステップＳ４０２における送信制御部１４２の判断処理に基づいて、審査結果情報を取得する。つまり、例えば、送信制御部１４２の判断処理において、保証審査の必要が無く、融資等が可能であると判断した場合に、審査結果情報「審査通過」を取得する。また、処理部１４は、例えば、審査結果情報に対応する情報を格納部１１から取得する。そして、処理部１４は、例えば、取得した情報を用いて、送信する審査結果情報等を構成する。
【００８１】
（ステップＳ４０７）送信部１３は、ステップＳ４０６で取得された審査結果情報等を、申出情報を送信してきた端末装置２に送信する。ステップＳ４０１に戻る。
【００８２】
（ステップＳ４０８）保証結果情報受信部１２２は、サーバ装置３から保証結果情報を受信したか否かを判断する。保証結果情報を受信した場合はステップＳ４０９に行き、保証結果情報を受信しなかった場合はステップＳ４０１に戻る。
【００８３】
（ステップＳ４０９）保証結果対応処理部１４３は、保証結果対応処理を行う。ステップＳ４０１に戻る。なお、保証結果対応処理の例について、図６のフローチャートを用いて説明する。
【００８４】
なお、図４のフローチャートにおいて、送信制御処理は行わず、常に、一のサーバ装置３に保証依頼情報を送信しても良い。
【００８５】
また、図４のフローチャートにおいて、審査結果情報等を端末装置２に送信しなくても良い。
【００８６】
また、図４のフローチャートにおいて、保証結果対応処理は行わなくても良い。
【００８７】
さらに、図５のフローチャートにおいて、電源オフや処理終了の割り込みにより処理は終了する。
【００８８】
次に、ステップＳ４０２の送信制御処理について、図５のフローチャートを用いて説明する。
【００８９】
（ステップＳ５０１）送信制御部１４２は、申出情報が有する企業識別子を取得する。
【００９０】
（ステップＳ５０２）送信制御部１４２は、サーバ装置３に保証依頼情報を送信するか否かを決定するために使用される情報である１以上の判断情報を取得する。送信制御部１４２は、例えば、申出情報、企業情報のうちの１種類以上の情報から１以上の判断情報を取得する。
【００９１】
（ステップＳ５０３）送信制御部１４２は、ステップＳ５０２で取得された１以上の判断情報を用いて、サーバ装置３に保証依頼情報を送信するか否か（保証審査を行うか否か）を判断する。保証依頼情報を送信するとの判断の場合はステップＳ５０４に行き、保証依頼情報を送信しないとの判断の場合はステップＳ５０６に行く。
【００９２】
（ステップＳ５０４）送信制御部１４２は、送信変数に「送信する（例えば、「１」）」を代入する。
【００９３】
（ステップＳ５０５）送信制御部１４２は、送信先特定情報を取得する。上位処理にリターンする。なお、送信制御部１４２は、申出情報が有する企業識別子と対になる格付情報に対応する送信先特定情報を送信先特定情報格納部１１２から取得しても良いし、予め決められた一の送信先特定情報を送信先特定情報格納部１１２から取得しても良い。
【００９４】
（ステップＳ５０６）送信制御部１４２は、送信変数に「送信しない（例えば、「０」）」を代入する。上位処理にリターンする。なお、送信変数に「送信しない」が代入される場合は、例えば、保証審査の必要が無く、融資可能である場合である。
【００９５】
次に、ステップＳ４０９の保証結果対応処理の例について、図６のフローチャートを用いて説明する。
【００９６】
（ステップＳ６０１）審査結果情報構成手段１４３１は、保証結果情報が示す保証審査の結果が「審査通過」であるか否かを判断する。「審査通過」である場合はステップＳ６０２に行き、「審査不通過」である場合はステップＳ６０３に行く。
【００９７】
（ステップＳ６０２）審査結果情報構成手段１４３１は、「審査通過」を示す審査結果情報を取得する。また、審査結果情報構成手段１４３１は、送信すべき他の情報（例えば、審査結果情報「審査通過」と対になる情報）が格納部１１に存在する場合は、当該他の情報を格納部１１から取得する。そして、審査結果情報構成手段１４３１は、送信する審査結果情報等を構成する。ステップＳ６０４に行く。
【００９８】
（ステップＳ６０３）審査結果情報構成手段１４３１は、「審査不通過」を示す審査結果情報を取得する。また、審査結果情報構成手段１４３１は、送信すべき他の情報（例えば、審査結果情報「審査不通過」と対になる情報）が格納部１１に存在する場合は、当該他の情報を格納部１１から取得する。そして、審査結果情報構成手段１４３１は、送信する審査結果情報等を構成する。
【００９９】
（ステップＳ６０４）審査結果情報送信手段１４３２は、ステップＳ６０２で構成された審査結果情報等を、申出情報を送信してきた端末装置２に送信する。上位処理にリターンする。
【０１００】
なお、図６のフローチャートにおいて、保証結果情報が示す保証審査の結果が「審査通過」である場合、保証結果情報が示す保証審査の結果が「審査不通過」である場合、それぞれについて、上記した処理とは異なる処理を行っても良い。
【０１０１】
次に、端末装置２の動作例について、図７のフローチャートを用いて説明する。
【０１０２】
（ステップＳ７０１）端末受付部２２は、申出情報を受け付けたか否かを判断する。申出情報を受け付けた場合はステップＳ７０２に行き、申出情報を受け付けなかった場合はステップＳ７０４に行く。
【０１０３】
（ステップＳ７０２）端末処理部２３は、ステップＳ７０１における申出情報の受け付けに応じて、送信する申出情報を構成する。
【０１０４】
（ステップＳ７０３）端末送信部２４は、ステップＳ７０２で構成された申出情報を情報処理装置１に送信する。ステップＳ７０１に戻る。
【０１０５】
（ステップＳ７０４）端末受信部２５は、情報処理装置１から審査結果情報等を受信したか否かを判断する。審査結果情報等を受信した場合はステップＳ７０５に行き、審査結果情報等を受信しなかった場合はステップＳ７０１に戻る。なお、審査結果情報等の受信は、自動的に受信しても良いし、端末装置２のユーザが情報処理装置１にアクセスしたことによる受信でも良い。つまり、審査結果情報等の受信は、プル型でも、プッシュ型でも良い。
【０１０６】
（ステップＳ７０５）端末処理部２３は、ステップＳ７０４で受信された審査結果情報等を用いて、出力する審査結果情報等を構成する。
【０１０７】
（ステップＳ７０６）端末出力部２６は、ステップＳ７０５で構成された審査結果情報等を出力する。ステップＳ７０１に戻る。
【０１０８】
次に、サーバ装置３の動作例について、図８のフローチャートを用いて説明する。
【０１０９】
（ステップＳ８０１）サーバ受信部３３は、情報処理装置１から保証依頼情報を受信したか否かを判断する。保証依頼情報を受信した場合はステップＳ８０２に行き、保証依頼情報を受信しなかった場合はステップＳ８０４に行く。なお、保証依頼情報の受信は、プル型でも、プッシュ型でも良い。
【０１１０】
（ステップＳ８０２）サーバ処理部３４は、ステップＳ８０１で受信された保証依頼情報を用いて、出力する保証依頼情報を構成する。
【０１１１】
（ステップＳ８０３）サーバ出力部３５は、ステップＳ８０２で構成された保証依頼情報を出力する。ステップＳ８０１に戻る。
【０１１２】
（ステップＳ８０４）サーバ受付部３２は、保証結果情報を受け付けたか否かを判断する。保証結果情報を受け付けた場合はステップＳ８０５に行き、保証結果情報を受け付けなかった場合はステップＳ８０１に戻る。なお、サーバ受付部３２は、サーバ処理部３４が取得した保証結果情報を取得しても良い。
【０１１３】
（ステップＳ８０５）サーバ処理部３４は、送信する保証結果情報を構成する。
【０１１４】
（ステップＳ８０６）サーバ送信部３６は、ステップＳ８０５で構成された保証結果情報を情報処理装置１に送信する。ステップＳ８０１に戻る。
【０１１５】
なお、図８のフローチャートにおいて、電源オフや処理終了の割り込みにより処理は終了する。
【０１１６】
以下、本実施の形態における情報システムＡの具体的な動作について説明する。
【０１１７】
今、情報処理装置１の企業情報格納部１１１には、図９に示す企業情報管理表が格納されている。企業情報管理表は、「企業識別子」「口座識別子」「企業属性値」を有するレコードを多数格納している。「企業属性値」は、ここでは、例えば、「企業種類識別子」「従業員数」「設立年月日」「資本金の金額」「上場の有無」「格付情報」等を有する。なお、図示しないが、「企業属性値」は、固定資産の金額、現金及び預金の額、当座資産の額、流動資産の額、投資その他の資産の額、流動負債の額、固定負債の額、繰越利益剰余金の額、今年度または直近Ｎ（Ｎは１または２以上の自然数）期の純売上高の額、今年度または直近Ｎ（Ｎは２以上の自然数）期の売上総利益の額、今年度または直近Ｎ（Ｎは１または２以上の自然数）期の人件費の額、今年度または直近Ｎ（Ｎは１または２以上の自然数）期の一般管理費の額、今年度または直近Ｎ（Ｎは１または２以上の自然数）期の販売費及び一般管理費の額、今年度または直近Ｎ（Ｎは１または２以上の自然数）期の営業利益の額、今年度または直近Ｎ（Ｎは１または２以上の自然数）期の営業外利益の額、今年度または直近Ｎ（Ｎは１または２以上の自然数）期の経常利益の額、今年度または直近Ｎ（Ｎは１または２以上の自然数）期の当期純利益の額を含む、とする。
【０１１８】
また、送信先特定情報格納部１１２には、図１０に示す送信先特定情報管理表が格納されている。送信先特定情報管理表は、「格付情報」「送信先特定情報」を有するレコードを格納している。「送信先特定情報」は、「担当者アドレス」「サーバ識別子」「ＵＲＬ」を有する。「担当者アドレス」は、各格付情報の企業に対する保証の決定を担当する者のメールアドレスである。「サーバ識別子」は、融資候補の企業の情報が格納されるサーバ装置３を特定する情報である。「ＵＲＬ」は、融資候補の企業の情報が格納されるフォルダを特定する情報である。なお、保証の決定を担当する者へのメール送信も、サーバ装置３への送信と考えても良い。
【０１１９】
また、格納部１１には、図１１に示す送信情報管理表が格納されている。送信情報管理表は、保証結果情報に対応した情報を管理する表であり、端末装置２に送信される情報を管理する表である。送信情報管理表は、「保証結果情報」「通知文情報」「添付ファイル」を有するレコードを有する。
【０１２０】
図１１において、保証結果情報「０」は保証審査の結果が「不通過」であることを示し、保証結果情報「１」は保証審査の結果が「通過」であることを示す。「通知文情報」は、端末装置２に送信される通知文である。また、「添付ファイル」は、通知文の送付の際に添付されるファイルである。
【０１２１】
さらに、格納部１１には、図１２に示す送信条件管理表が格納されている。送信条件管理表は、「ＩＤ」「送信条件」「審査結果情報」を有するレコードを格納している。「ＩＤ」はレコードを識別する情報である。「送信条件」は送信条件情報である。「送信条件」は、ここでは、サーバ装置３に保証依頼情報を送信しない場合を特定する情報である。つまり、送信条件に合致すれば、サーバ装置３に保証依頼情報を送信せずに、審査結果情報「審査通過」が得られることとなる。図１２の「ＩＤ＝１」のレコードは、上場しており、存続期間が５年以上の企業であり、融資金額が２０００万円以下、返済条件が３年以内の返済であれば、保証審査を行わずに、融資を行うことを示す。
【０１２２】
かかる状況において、企業識別子「Ｃ００１」の担当者が、端末装置２に企業識別子「Ｃ００１」、融資金額情報「１０００万円」、返済条件情報「３年」の情報を含む申出情報を入力した、とする。なお、返済条件情報「３年」は、３年で返済することを示す。
【０１２３】
すると、端末装置２の端末受付部２２は、当該申出情報を受け付ける。次に、端末処理部２３は、申出情報の受け付けに応じて、送信する申出情報を構成する。送信する申出情報は、例えば、「企業識別子：Ｃ００１，融資金額情報：１０００万円，返済条件情報：３年」である。次に、端末送信部２４は、当該申出情報を情報処理装置１に送信する。
【０１２４】
次に、情報処理装置１の申出情報受信部１２１は、端末装置２から申出情報「企業識別子：Ｃ００１，融資金額情報：１０００万円，返済条件情報：３年」を受信する。
【０１２５】
次に、送信制御部１４２は、以下のような送信制御処理を行う。つまり、まず、送信制御部１４２は、申出情報が有する企業識別子「Ｃ００１」を取得する。
【０１２６】
次に、送信制御部１４２は、サーバ装置３に保証依頼情報を送信するか否かを決定するために使用される１以上の判断情報を取得する。つまり、送信制御部１４２は、企業識別子「Ｃ００１」と対になる企業属性「設立年月日：２００５／８／１」「上場の有無：無」「格付情報：Ａ」を、図９に示す企業情報管理表から取得する。そして、送信制御部１４２は、申出情報が有する「融資金額情報：１０００万円」「返済条件情報：３年」も取得する。
【０１２７】
次に、送信制御部１４２は、現在の日「２０１７／１１／１９」を図示しない時計から取得し、当該日「２０１７／１１／１９」と企業属性「設立年月日：２００５／８／１」とから、企業の存続年数「１２年３ヶ月」を取得する。次に、送信制御部１４２は、存続年数「１２年３ヶ月」「上場の有無：無」「格付情報：Ａ」「融資金額情報：１０００万円」「返済条件情報：３年」を、図１２の送信条件に適用し、「ＩＤ＝１」「ＩＤ＝２」のいずれの送信条件にも合致しないと判断し、「保証審査を行う」と判断した、とする。つまり、送信制御部１４２は、送信変数に「送信する（例えば、「１」）」を代入する。
【０１２８】
次に、送信制御部１４２は、送信先特定情報を取得する。ここでは、送信制御部１４２は、「格付情報：Ａ」と対になる送信先特定情報を図１０の送信先特定情報管理表から取得する。
【０１２９】
次に、保証依頼情報構成部１４１は、送信する保証依頼情報を構成する。ここでは、保証依頼情報構成部１４１は、保証依頼情報「企業識別子：Ｃ００１，存続年数：１２年３ヶ月，上場の有無：無」，格付情報：Ａ，融資金額情報：１０００万円，済条件情報：３年」を構成する。
【０１３０】
次に、保証依頼情報送信部１３１は、構成された保証依頼情報を含むメールを、取得した送信先特定情報が示す担当者アドレス「ａａ＠ｂｎｋ．ｊｐ」に送信する。また、保証依頼情報送信部１３１は、構成された保証依頼情報を、サーバ１のＵＲＬ「ｈｔｔｐｓ：／／サーバ１／ｄ１／」に保証依頼情報を含む情報をアップする。なお、サーバ１に情報をアップすることは、サーバ１に情報を送信することとも言える。
【０１３１】
次に、担当者アドレス「ａａ＠ｂｎｋ．ｊｐ」で特定される担当者は、保証依頼情報「企業識別子：Ｃ００１，存続年数：１２年３ヶ月，上場の有無：無」，格付情報：Ａ，融資金額情報：１０００万円，済条件情報：３年」を含むメールを受信する。また、サーバ装置３のサーバ受信部３３は、保証依頼情報を含む情報を受信する。
【０１３２】
そして、当該担当者は、受信した保証依頼情報を含む情報、またはかかる保証依頼情報を含む情報と当該企業の他の情報とを検査し、保証審査を行う。その結果、担当者は、保証審査「通過」と判断した、とする。
【０１３３】
次に、担当者は、サーバ装置３に保証結果情報「審査通過」を入力した、とする。すると、サーバ装置３のサーバ受付部３２は、保証結果情報「審査通過」を受け付ける。次に、サーバ処理部３４は、送信する保証結果情報を構成する。そして、サーバ送信部３６は、構成された保証結果情報「審査通過（１）」を情報処理装置１に送信する。なお、（１）は、値が「１」であることを示す。
【０１３４】
次に、情報処理装置１の保証結果情報受信部１２２は、サーバ装置３から保証結果情報「審査通過（１）」を受信する。
【０１３５】
次に、保証結果対応処理部１４３は、保証結果対応処理を行う。つまり、審査結果情報構成手段１４３１は、「審査通過（１）」に対応する通知文情報「融資可能です。添付ファイルに必要事項を記入し、ご返送下さい。・・・」と、２つの添付ファイル「ファイル１」「ファイル２」を、図１１の送信情報管理表から取得する。そして、審査結果情報構成手段１４３１は、取得した情報を用いて、送信する審査結果情報等を構成する。なお、審査結果情報等は、上記の通知文情報と２つのファイルとを含む。
【０１３６】
次に、審査結果情報送信手段１４３２は、構成された審査結果情報等を、申出情報を送信してきた端末装置２に送信する。
【０１３７】
次に、企業識別子「Ｃ００１」の担当者の端末装置２の端末受信部２５は、情報処理装置１から審査結果情報等を受信する。そして、端末処理部２３は、受信された審査結果情報等を用いて、出力する審査結果情報等を構成する。次に、端末出力部２６は、構成された審査結果情報等を出力する。かかる出力例は、図１３である。
【０１３８】
以上、本実施の形態によれば、融資またはリースの申し出に対する処理を効率化できる。
【０１３９】
また、本実施の形態によれば、融資またはリースの申し出に対して、企業の格付けに応じた適切な送信制御が行える。
【０１４０】
さらに、本実施の形態によれば、融資またはリースの申し出に対して、企業の種々の情報等に応じて、適切な送信制御が行える。
【０１４１】
なお、さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置１を実現するソフトウェアは、例えば、以下のようなプログラムである。つまり、このプログラムは、企業を識別する企業識別子を有する１以上の企業情報が格納される企業情報格納部を具備する記録媒体にアクセス可能なコンピュータを、融資またはリースの申し出に関する情報であり、企業識別子を有する申出情報を端末装置から受信する申出情報受信部と、前記申出情報受信部が申出情報を受信した場合に、保証の依頼に関する情報であり、前記申出情報が有する企業識別子を含む保証依頼情報を構成する保証依頼情報構成部と、サーバ装置に前記保証依頼情報を送信する保証依頼情報送信部として機能させるためのプログラムである。
【０１４２】
また、図１４は、本明細書で述べたプログラムを実行して、上述した種々の実施の形態の情報処理装置等を実現するコンピュータの外観を示す。上述の実施の形態は、コンピュータハードウェア及びその上で実行されるコンピュータプログラムで実現され得る。図１４は、このコンピュータシステム３００の概観図であり、図１５は、システム３００のブロック図である。
【０１４３】
図１４において、コンピュータシステム３００は、ＣＤ−ＲＯＭドライブを３０１２含むコンピュータ３０１と、キーボード３０２と、マウス３０３と、モニタ３０４とを含む。
【０１４４】
図１５において、コンピュータ３０１は、ＣＤ−ＲＯＭドライブ３０１２と、ＭＰＵ３０１３と、バス３０１４と、ＲＯＭ３０１５と、ＲＡＭ３０１６と、ハードディスク３０１７とを含む。ＲＯＭ３０１５は、ブートアッププログラム等のプログラムを記憶している。ＲＡＭ３０１６は、ＭＰＵ３０１３に接続され、アプリケーションプログラムの命令を一時的に記憶するとともに一時記憶空間を提供する。ハードディスク３０１７は、通常、アプリケーションプログラム、システムプログラム、及びデータを記憶している。ここでは、図示しないが、コンピュータ３０１は、さらに、ＬＡＮへの接続を提供するネットワークカードを含んでも良い。
【０１４５】
コンピュータシステム３００に、上述した実施の形態の情報処理装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。また、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１４６】
プログラムは、コンピュータ３０１に、上述した実施の形態の情報処理装置１等の機能を実行させるオペレーティングシステム（ＯＳ）、またはサードパーティープログラム等は、必ずしも含まなくても良い。プログラムは、制御された態様で適切なモジュールを呼び出し、所望の結果が得られるようにする命令の部分のみを含んでいれば良い。コンピュータシステム３００がどのように動作するかは周知であり、詳細な説明は省略する。
【０１４７】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１４８】
また、上記プログラムを実行するコンピュータは、単数であってもよく、複数であってもよい。すなわち、集中処理を行ってもよく、あるいは分散処理を行ってもよい。
【０１４９】
また、上記各実施の形態において、一の装置に存在する２以上の通信手段（端末情報送信部、端末情報受信部など）は、物理的に一の媒体で実現されても良いことは言うまでもない。
【０１５０】
また、上記各実施の形態において、各処理（各機能）は、単一の装置（システム）によって集中処理されることによって実現されてもよく、あるいは、複数の装置によって分散処理されることによって実現されてもよい。
【０１５１】
本発明は、以上の実施の形態に限定されることなく、種々の変更が可能であり、それらも本発明の範囲内に包含されるものであることは言うまでもない。
【産業上の利用可能性】
【０１５２】
以上のように、本発明にかかる情報処理装置は、融資またはリースの申し出に対する処理を効率化できるという効果を有し、情報処理装置等として有用である。
【符号の説明】
【０１５３】
１  情報処理装置
２  端末装置
３  サーバ装置
１１  格納部
１２  受信部
１３  送信部
１４  処理部
２１  端末格納部
２２  ユーザ受付部
２２  端末受付部
２３  端末処理部
２４  端末送信部
２５  端末受信部
２６  端末出力部
３１  サーバ格納部
３２  サーバ受付部
３３  サーバ受信部
３４  サーバ処理部
３５  サーバ出力部
３６  サーバ送信部
１１１  企業情報格納部
１１２  送信先特定情報格納部
１２１  申出情報受信部
１２２  保証結果情報受信部
１３１  保証依頼情報送信部
１４１  保証依頼情報構成部
１４２  送信制御部
１４３  保証結果対応処理部
１４３１  審査結果情報構成手段
１４３２  審査結果情報送信手段
【図１】
2019144979.tif 000003
【図２】
2019144979.tif 000004
【図３】
2019144979.tif 000005
【図４】
2019144979.tif 000006
【図５】
2019144979.tif 000007
【図６】
2019144979.tif 000008
【図７】
2019144979.tif 000009
【図８】
2019144979.tif 000010
【図９】
2019144979.tif 000011
【図１０】
2019144979.tif 000012
【図１１】
2019144979.tif 000013
【図１２】
2019144979.tif 000014
【図１３】
2019144979.tif 000015
【図１４】
2019144979.tif 000016
【図１５】
2019144979.tif 000017